(57)【要約】【課題】無駄なエネルギーを浪費することなく予約された終了時刻に、選択された運転コースの最終行程である本乾燥をタイミングよく終了することができるように、運転開始時刻の決定について工夫すること。【解決手段】洗浄槽、回転ノズル、洗浄ポンプ、排水ポンプ、給水弁、ヒーター、乾燥ファン、水位検知器、温度センサー、及び制御手段等を備え、洗浄行程、すすぎ行程、及び乾燥行程を行う食器洗い機を前提として、  食器洗い機の運転完了時刻を予約する運転完了時刻設定手段と、  上記運転完了時刻を予約した後に、上記洗浄槽へ給水する給水の温度に応じて運転所要時間を決める運転所要時間決定手段と、  上記運転完了時刻と運転所要時間から、食器洗い機の運転スタート時刻を算出する運転スタート時刻算出手段とを備えて成り、  上記運転スタート時刻に食器洗い機の運転を開始することにより、予約した運転完了時刻に運転を完了する構成にすることである。【選択図】図１
2008119052.tif 000002
【特許請求の範囲】
【請求項１】
食器類を収納する洗浄槽と、洗浄水を噴射して食器類の洗浄やすすぎを行う回転ノズルと、この回転ノズルへ洗浄水を供給する洗浄ポンプと、上記洗浄槽内の洗浄水を排水する排水ポンプと、上記洗浄槽へ給水する給水弁と、上記洗浄槽内の洗浄水や空気を加熱するヒーターと、上記洗浄槽内に収納された食器類を乾燥する乾燥ファンと、上記洗浄槽内の洗浄水の水位を検出する水位検知器と、上記洗浄槽内の洗浄水や空気の温度を検出する洗浄槽温度センサーと、上記洗浄ポンプ、排水ポンプ、給水弁、ヒーター、及び乾燥ファンを制御する制御手段とを備え、洗浄行程、すすぎ行程、及び乾燥行程を行う食器洗い機において、
食器洗い機の運転完了時刻を予約する運転完了時刻設定手段と、
上記運転完了時刻を予約した後に、上記洗浄槽へ給水する給水の温度に応じて運転所要時間を決める運転所要時間決定手段と、
上記運転完了時刻と運転所要時間から、食器洗い機の運転スタート時刻を算出する運転スタート時刻算出手段とを備えて成り、
上記運転スタート時刻に食器洗い機の運転を開始することにより、予約した運転完了時刻に運転を完了することを特徴とする食器洗い機。
【請求項２】
上記洗浄槽への給水条件として、水道水を直接供給する給水接続と、給湯器から湯を供給する給湯接続のうち、どちらか一方を選択する給水条件選択手段を備えて成り、選択された給水条件に応じて、上記洗浄槽への給水手順を変更することを特徴とする請求項１に記載の食器洗い機。
【請求項３】
食器類を収納する洗浄槽と、洗浄水を噴射して食器類の洗浄やすすぎを行う回転ノズルと、この回転ノズルへ洗浄水を供給する洗浄ポンプと、上記洗浄槽内の洗浄水を排水する排水ポンプと、上記洗浄槽へ給水する給水弁と、上記洗浄槽内の洗浄水や空気を加熱するヒーターと、上記洗浄槽内に収納された食器類を乾燥する乾燥ファンと、上記洗浄槽内の洗浄水の水位を検出する水位検知器と、上記洗浄槽内の洗浄水や空気の温度を検出する洗浄槽温度センサーと、上記洗浄ポンプ、排水ポンプ、給水弁、ヒーター、及び乾燥ファンを制御する制御手段とを備え、洗浄行程、すすぎ行程、及び乾燥行程を行う食器洗い機において、
食器洗い機の運転完了時刻を予約する運転完了時刻設定手段と、
上記洗浄槽への給水条件を選択する給水条件選択手段と、
上記給水条件選択手段により選択された給水条件に応じて、運転所要時間を決める運転所要時間決定手段と、
上記運転完了時刻と運転所要時間から、食器洗い機の運転スタート時刻を算出する運転スタート時刻算出手段とを備えて成り、
上記運転スタート時刻に食器洗い機の運転を開始することにより、予約した運転完了時刻に運転を完了することを特徴とする食器洗い機。
【請求項４】
上記給水条件選択手段により選択される給水条件は、水道水を直接供給する給水接続と、給湯器から湯を供給する給湯接続のうち、どちらか一方が選択されることを特徴とする請求項３に記載の食器洗い機。
【請求項５】
上記給水接続として季節を選択することができ、また上記給湯接続として給湯温度を選択することができることを特徴とする請求項４に記載の食器洗い機。
【請求項６】
上記運転スタート時刻より所定時間前に、上記給水弁を開き洗浄槽内への給水を開始してその温度を測定すると共に、測定された給水温度に応じて上記運転スタート時刻を補正することを特徴とする請求項１〜請求項５のいずれかに記載の食器洗い機。  
【発明の詳細な説明】
【技術分野】
【０００１】
本発明は、食器や調理器具等（以下、食器類という。）の洗浄、すすぎ、及び乾燥等の各行程を行う食器洗い機に関し、特に、使用者が希望する時刻に運転を完了することができる食器洗い機に関する。
【背景技術】
【０００２】
食器洗い機の運転開始時刻については、従来から深夜電力を利用して経済的なメリットが得られるように、食器類を洗浄槽内に収納してから所定時間後に運転を開始させる「予約」機能を備えるものがあった。このような食器洗い機では、翌朝、食器類を取り出すときは運転が完了してから数時間が経過しており、早朝に外気温度が低くなった場合には、食器類に洗浄槽内の湿気が付着したり、残菜フィルターに残った残菜の臭いが洗浄槽内にこもり食器類に移るので、使用者は不満を持っていた。
このような問題を解決するものとして、食器洗い機の運転が完了した後に、使用者が設定した時刻になるまで乾燥ファンやヒーターを間欠的に駆動することによって、良好な乾燥状態を保持し温かい食器類を使用者に提供する食器洗い機が、特開平４−１４４５３１号公報（食器洗い機の制御装置）として既に提案されている。
【０００３】
上記特開平４−１４４５３１号公報（特許文献１）に記載された食器洗い機は、図８のブロック図に示されているように、制御手段４０によって、駆動手段４１を通して負荷である給水弁４２、排水ポンプモータ４３、洗浄ポンプモータ４４、ファンモータ４５、及びヒーター４６への通電を制御して、洗浄、すすぎ、乾燥の各行程を制御する。この制御手段４０は各行程を制御するために、洗浄槽内の水位を検知する水位検知手段４７からの信号と、洗浄槽内の温度を検知する温度検知手段４８からの信号とを入力している。
また、運転終了時刻を設定する予約時刻設定手段４９から予約タイマー装置５０に運転終了時刻の信号が出力され、この予約タイマー装置５０では運転終了時刻から洗浄〜乾燥までの各行程に要する所要時間を差し引いて運転開始時刻を算出し、現在時刻が運転開始時刻に到達すれば運転開始信号を制御手段４０に出力し、この制御手段４０は上記予約タイマー装置５０からの出力信号により決められた各行程を実行する。
【０００４】
上記特許文献１に記載された食器洗い機は、図９に示すフローチャートのように動作する。先ず、図９(ａ)に示すように、時刻Ｔ１に運転終了時刻がＴ３になるように予約設定がなされると（ステップ１１１）、各行程の所要時間を運転終了時刻Ｔ３から差し引いて求めた運転開始時刻Ｔ２になるまで待機する（ステップ１１２）。時刻Ｔ２になると洗浄行程に進み（ステップ１１３）、さらに、すすぎ行程（ステップ１１４）と乾燥行程（ステップ１１５）を続けて実行し、時刻Ｔ３に終了する。
上記乾燥行程（ステップ１１５）は、図９(ｂ)に示すように、ヒータ４６を間欠通電すると同時に、ファンモータ４５により送風する本乾燥を２０分間行う（ステップ１１６,１１７）。この本乾燥が終了したら現在時刻Ｔを読み取って（ステップ１１８）、この現在時刻が予約設定した終了時刻Ｔ３に達していない場合は、引き続きファンモータ４５のみを間欠運転する余熱乾燥を終了時刻Ｔ３に達するまで行う（ステップ１１８〜１２０）。
【０００５】
このように特許文献１に記載された構成によれば、洗浄行程やすすぎ行程では、洗浄槽内の水が所定の温度になるまでヒーター４６によって湯沸かしを行うため、給水温度によって運転所要時間が大幅に変わる。例えば、運転開始時刻Ｔ２は、給水温度が最低の５℃程度であって、運転所要時間が最長の１２０分間かかる場合を想定して、終了時刻Ｔ３に本乾燥が終了するように予約タイマー装置によって設定される。給水温度が最低の５℃程度より高い時、又は給湯による場合は、本乾燥は予約設定された終了時刻Ｔ３より早く終わることになるから、終了時刻Ｔ３に達するまでの間は余熱乾燥を行って時間調整をして、終了時刻Ｔ３ぴったりに終了する。
また、上記余熱乾燥（ステップ１２０）の間に、ファンモータ４５とヒーター４６を間欠的に動作させることにより乾燥効果を向上させることができる。
【０００６】
【特許文献１】特開平４−１４４５３１号公報
【発明の開示】
【発明が解決しようとする課題】
【０００７】
上記特許文献１に記載された食器洗い機では、運転開始時刻Ｔ２を決定するとき、運転所要時間として最長の１２０分間（給水温度が最低の５℃程度の場合）を想定すると共に、本乾燥が予約設定された終了時刻Ｔ３より早く終わったときは、終了時刻Ｔ３に達するまで余熱乾燥を行って時間調整をするものである。このため、予約設定された終了時刻Ｔ３に終了して余熱乾燥を行う必要がない場合は、冬季に給水温度が５℃程度になる短い期間に限られ、一年間のうち殆どの期間では本乾燥が終了時刻Ｔ３より早く終わることになり、残りの時間は余熱乾燥を行うことになるから、ファンモータ４５を駆動したりヒーター４６を加熱するための電力を浪費することになる。また、この余熱乾燥中にはファンモータ４５の間欠運転により騒音が発生し、使用者に不快感を与える。
そこで、本発明はこのような問題点を解決するために、無駄なエネルギーを浪費することなく予約された終了時刻に、タイミングよく選択された運転コースの最終行程である本乾燥を終了することができるように、運転開始時刻の決定について工夫することである。
【課題を解決するための手段】
【０００８】
本発明に係る食器洗い機は、上記課題を解決するために、洗浄槽へ給水する給水の温度に応じて運転所要時間を決めて、予約した運転完了時刻に食器洗い機の運転が完了するように、食器洗い機の運転を開始することを基本とするものである。
【０００９】
(１) 本発明に係る食器洗い機（請求項１に対応）は、食器類を収納する洗浄槽と、洗浄水を噴射して食器類の洗浄やすすぎを行う回転ノズルと、この回転ノズルへ洗浄水を供給する洗浄ポンプと、上記洗浄槽内の洗浄水を排水する排水ポンプと、上記洗浄槽へ給水する給水弁と、上記洗浄槽内の洗浄水や空気を加熱するヒーターと、上記洗浄槽内に収納された食器類を乾燥する乾燥ファンと、上記洗浄槽内の洗浄水の水位を検出する水位検知器と、上記洗浄槽内の洗浄水や空気の温度を検出する洗浄槽温度センサーと、上記洗浄ポンプ、排水ポンプ、給水弁、ヒーター、及び乾燥ファンを制御する制御手段とを備え、洗浄行程、すすぎ行程、及び乾燥行程を行う食器洗い機を前提として、
食器洗い機の運転完了時刻を予約する運転完了時刻設定手段と、
上記運転完了時刻を予約した後に、上記洗浄槽へ給水する給水の温度に応じて運転所要時間を決める運転所要時間決定手段と、
上記運転完了時刻と運転所要時間から、食器洗い機の運転スタート時刻を算出する運転スタート時刻算出手段とを備えて成り、
上記運転スタート時刻に食器洗い機の運転を開始することにより、予約した運転完了時刻に運転を完了する構成にすることである。
【００１０】
このような構成にすることによって、運転完了時刻設定手段により食器洗い機の運転を完了させる時刻を予約した後、給水弁を開いて洗浄槽へ給水することにより、給水温度を測定する。給水温度を測定することによって、予め実験により求めておいた給水温度と運転所要時間との関係から、測定された給水温度での運転所要時間が決まるので、上記予約した運転完了時刻との関係から、食器洗い機の運転を開始すべき運転スタート時刻を算出することができる。
食器洗い機の運転所要時間は、主に洗浄槽への給水温度によって増減するため、給水温度に応じて運転所要時間を決めることにより、ほぼ正確な運転所要時間を決定することができる。この運転所要時間に基づいて運転スタート時刻を算出して食器洗い機の運転を開始することによって、予約した運転完了時刻に運転を完了することができる。
したがって、使用者は給水条件（給水温度）を選択しなくても、食器を使用したい時刻を予約するだけで良く、この予約した時刻に正確に食器洗い機の運転が完了するように、食器洗い機の運転を開始することができるので、予約した時刻にタイミングよく、残菜の臭いのない良好な乾燥状態の温かい食器を使用することができる。
【００１１】
(２) また、上記食器洗い機において、上記洗浄槽への給水条件として、水道水を直接供給する給水接続と、給湯器から湯を供給する給湯接続のうち、どちらか一方を選択する給水条件選択手段を備えて成り、選択された給水条件に応じて、上記洗浄槽への給水手順を変更することができる。（請求項２に対応）
この構成によれば、使用者によって給湯接続と給水接続のうち、どちらか一方を選択することができるので、給湯接続か給水接続かに応じて洗浄槽への給水手順を変更することができる。
即ち、給湯接続が選択されている場合には、食器洗い機が給湯器から離れて配置されていれば、給湯を開始して直ちに設定温度での給湯はできないので、給湯温度を測定する前に予め所定量の水を排出する「初期排水」を行う必要があるが、給水接続が選択されている場合には、給水温度を測定する前に「初期排水」を行う必要がないので、水やエネルギーの浪費を低減することができる。
【００１２】
(３) 本発明に係る食器洗い機（請求項３に対応）は、食器類を収納する洗浄槽と、洗浄水を噴射して食器類の洗浄やすすぎを行う回転ノズルと、この回転ノズルへ洗浄水を供給する洗浄ポンプと、上記洗浄槽内の洗浄水を排水する排水ポンプと、上記洗浄槽へ給水する給水弁と、上記洗浄槽内の洗浄水や空気を加熱するヒーターと、上記洗浄槽内に収納された食器類を乾燥する乾燥ファンと、上記洗浄槽内の洗浄水の水位を検出する水位検知器と、上記洗浄槽内の洗浄水や空気の温度を検出する洗浄槽温度センサーと、上記洗浄ポンプ、排水ポンプ、給水弁、ヒーター、及び乾燥ファンを制御する制御手段とを備え、洗浄行程、すすぎ行程、及び乾燥行程を行う食器洗い機を前提として、
食器洗い機の運転完了時刻を予約する運転完了時刻設定手段と、
上記洗浄槽への給水条件を選択する給水条件選択手段と、
上記給水条件選択手段により選択された給水条件に応じて、運転所要時間を決める運転所要時間決定手段と、
上記運転完了時刻と運転所要時間から、食器洗い機の運転スタート時刻を算出する運転スタート時刻算出手段とを備えて成り、
上記運転スタート時刻に食器洗い機の運転を開始することにより、予約した運転完了時刻に運転を完了する構成にすることである。
【００１３】
このような構成にすることによって、運転完了時刻設定手段により食器洗い機の運転を完了させる時刻を予約すると共に、給水条件選択手段により洗浄槽への給水条件（給水温度）を選択する。給水条件が選択されると、予め実験により求めておいた給水条件と運転所要時間との関係から、選択された給水条件での運転所要時間が決まるので、上記運転完了時刻との関係から、食器洗い機の運転を開始すべき運転スタート時刻を算出することができる。
食器洗い機の運転所要時間は、主に給水条件（給水温度）の変動によって増減するため、給水条件に応じて運転所要時間を決めることにより、ほぼ正確な運転所要時間を決定することができる。この運転所要時間に基づいて運転スタート時刻を算出して食器洗い機の運転を開始することにより、予約した運転完了時刻に運転を完了することができる。
したがって、使用者が食器を使用したい時刻を予約すると共に、給水条件を選択すれば、この予約時刻に正確に食器洗い機の運転が完了するように、食器洗い機の運転を開始することができるので、使用者は予約した時刻にタイミングよく、残菜の臭いがない良好な乾燥状態の温かい食器を使用することが可能である。
【００１４】
(４) また、上記食器洗い機において、上記給水条件選択手段により選択される給水条件は、水道水を直接供給する給水接続と、給湯器から湯を供給する給湯接続のうち、どちらか一方が選択されることである。（請求項４に対応）
この構成によれば、食器洗い機が給水接続又は給湯接続される場合でも、それに対応して運転スタート時刻を設定することができる。
【００１５】
(５) また、上記食器洗い機において、上記給水接続として季節を選択することができ、また上記給湯接続として給湯温度を選択することができることである。（請求項５に対応）
この構成によれば、給水接続又は給湯接続について、さらに幾つかの選択をすることができ、給水条件として最適な給水温度に近い条件を選択することができるので、運転スタート時刻をより正確に決定することができる。
【００１６】
(６) また、上記食器洗い機において、上記運転スタート時刻より所定時間前に、上記給水弁を開き洗浄槽内への給水を開始してその温度を測定すると共に、測定された給水温度に応じて上記運転スタート時刻を補正することができる。（請求項６に対応）
この構成によれば、洗浄槽内へ給水される水温の測定値に応じて、算出された運転スタート時刻を補正することによって、最適な給水温度に応じて食器洗い機の運転を開始することができるので、食器洗い機の運転を完了する時刻が一層正確なものとなる。
【発明の効果】
【００１７】
本発明の食器洗い機によれば、洗浄槽へ給水する給水の温度を測定し、この測定した給水温度に応じて決定された運転所要時間から運転スタート時刻を算出し、これにより食器洗い機の運転を開始するようにしたので、使用者が運転完了時刻を予約するだけで、無駄なエネルギーを浪費することなく、予約した運転完了時刻に食器洗い機の運転を完了することができる。
また、使用者が選択した給水条件（給水温度）に応じて決定された運転所要時間から運転スタート時刻を算出し、これにより食器洗い機の運転を開始するようにしたので、無駄なエネルギーを浪費することなく、予約した運転完了時刻に食器洗い機の運転を完了することができる。
したがって、使用者が食器を使用したい時刻を運転完了時刻として予約すれば、この予約時刻に食器洗い機の運転が完了するように、食器洗い機の運転を開始することができるので、使用者は予約した時刻にタイミング良く、残菜の臭いのない良好な乾燥状態の温かい食器を使用することが可能である。
【００１８】
また、季節や給湯温度によって給水条件を選択することができ、最適な給水温度に近い条件を選択することができるので、運転スタート時刻をより正確に算出することができる。
さらに、運転スタート時刻の所定時間前に洗浄槽内へ給水する水温を測定して、この測定値に基づいて算出された運転スタート時刻を補正することにより、最適な給水温度に応じて食器洗い機の運転を開始することができるので、食器洗い機の運転完了時刻が一層正確なものとなる。
【発明を実施するための最良の形態】
【００１９】
以下に、本発明の実施例１〜実施例４の食器洗い機について、図１〜図７を参照しながら説明する。これらの各実施例では、ビルトインタイプの食器洗い機に対して本発明を適用した場合について説明しているが、卓上型の食器洗い機に対しても適用し得ることは言うまでもない。
【実施例１】
【００２０】
最初に、実施例１の食器洗い機について、図１〜図４−２（図２(ｃ)を除く）を参照しながら説明する。図１は食器洗い機の模式図とその制御装置のブロック図、図２(ａ),(ｂ)は食器洗い機の操作パネルの説明図、図３は給水条件（給水温度）による運転シーケンスの説明図、図４−１及び図４−２は食器洗い機において、電源スイッチをオンしてから、選択した運転コースの運転を開始までのフローチャートである。
【００２１】
〔食器洗い機の構成〕
この実施例１の食器洗い機は、図１(ａ)に模式的に示されているように、本体１の内部において、前面側の扉２の取っ手２ａにより引き出し可能に設けられた洗浄槽３と、該洗浄槽３内の洗浄水を加圧したり、又は該洗浄水を排水管１６を通して機外へ排出する洗浄・排水ポンプ４と、加圧された洗浄水を食器類へ向けて噴射する回転ノズル５と、該洗浄槽３内へ給水管１９を通して水（又は湯）を供給する給水弁６と、該洗浄槽３内の洗浄水や空気を加熱するヒーター７と、該洗浄槽３内の洗浄水や空気の温度を検出する洗浄槽温度センサー１５と、該洗浄槽３内の水位を検知する水位検知器８と、該洗浄槽３内に外気を送り込み、且つ洗浄槽３内の空気を排気口１１から送り出す乾燥ファン１０と、食器類を収納する食器カゴ１２と、該洗浄槽３の底部に設けられ残菜フィルター１４が取り付けられる水溜め１３と、上記排水管１６の下流側に設けられる排水トラップ１７及び逆止弁１８と、上記扉２に設けられる操作パネル２１及び制御部２０を備えて成る。
また、上記給水管１９の出口付近には、洗浄槽３内へ供給される水（又は湯）の温度を検出する給水温度センサー２２が設けられている。
なお、上記洗浄・排水ポンプ４は、洗浄と排水の両機能を合わせ持つものであるが、それぞれの機能を持つ洗浄ポンプと排水ポンプを別個に設けることも可能である。
【００２２】
上記洗浄槽３の扉２に設けられた操作パネル２１には、図２(ａ)に示されているように、その前面側には電源スイッチ２３、スタート／一時停止スイッチ２４、時間等を表示する表示部２５、該表示部２５が運転完了時刻を表示していることを示す予約時刻表示ＬＥＤ２６、該表示部２５が運転完了までの残り時間を表示していることを示す残り時間表示ＬＥＤ２７、及び給水条件を選択する給水条件選択手段３０が設けられており、その上面側には運転コースを選択するコース選択スイッチ２８、乾燥時間を延長する乾燥スイッチ２９、及び運転完了時刻を予約する運転完了時刻設定手段３１が設けられている。
【００２３】
上記給水条件選択手段３０には、図２(ｂ)に示されているように、水道水をそのまま使用する給水接続を選択すると共に、季節（春／秋、夏、冬）を選択することができる給水スイッチ３０Ａと、給湯器の湯を使用する給湯接続を選択すると共に、給湯温度（４０℃、５０℃、６０℃）を選択することができる給湯スイッチ３０Ｂが備えられており、季節の春／秋、夏、或いは冬、又は給湯温度の４０℃、５０℃、或いは６０℃の１つを選択することができるように成っており、これらのうちの１つが選択されると、それに対応する給水条件表示ＬＥＤ３０ａ〜３０ｆの内の１個が点灯する。
なお、それぞれの季節に対応する水温は、例えば、春と秋は１５℃、夏は２５℃、冬は５℃としている。
【００２４】
上記洗浄槽３の扉２の内部に設けられた制御部２０は、図１(ｂ)に示されているように、ＣＰＵ、ＲＡＭ、ＲＯＭ、及びタイマー等を有するマイクロコンピュータから成る制御手段３３と、各種の負荷を駆動する負荷駆動回路３５を備えている。
上記制御手段３３は、各種操作キー３６、運転完了時刻設定手段３１、給水条件選択手段３０、水位検知器８、洗浄槽温度センサー１５、給水温度センサー２２、及び各種センサー３７からの入力信号に基づいて、表示手段（表示部２５、予約時刻表示ＬＥＤ２６、残り時間表示ＬＥＤ２７、及び給水条件表示ＬＥＤ３０ａ〜３０ｆ等）と負荷駆動回路３５へ制御信号を出力する。この負荷駆動回路３５は、制御手段３３から出力される制御信号に従って、負荷である洗浄・排水ポンプ４、給水弁６、ヒーター７、及び乾燥ファン１０への通電を制御することにより、洗浄、すすぎ、及び乾燥の各行程を実行する。
【００２５】
〔給水条件と運転所要時間との関係について〕
食器洗い機における「給水条件（給水温度）」と「運転所要時間」との関係は、給水条件を変更して食器洗い機を実際に運転することによって、実験的に求めることができ、このような実験を各運転コース毎に行うことによって、全運転コースでの給水条件と運転所要時間との関係を求めることができる。
図３はその一例を示したものであり、給水温度が５℃（冬）、１５℃（春／秋）、２５℃（夏）、及び４０℃（給湯）の場合について、給水温度（Ｙ軸）と運転所要時間（Ｘ軸）との関係を示している（５０℃と６０℃の場合については、図示を省略する）。給水条件（給水温度）が、冬（５℃）、春／秋（１５℃）、夏（２５℃）、及び４０℃（給湯）の場合の運転所要時間は、それぞれＸ１、Ｘ２、Ｘ３、及びＹ１である。それぞれの運転シーケンスをみても明らかなように、各運転所要時間Ｘ１〜Ｘ３,Ｙ１に差を生じさせる区間は、洗浄行程において洗浄水を加熱して洗浄する「加熱洗浄区間Ａ１〜Ａ３,ａ１」と、すすぎ行程において水を加熱して行う「加熱すすぎ区間Ｂ１〜Ｂ３,ｂ１」の２区間だけであり、その他の区間Ｃ〜Ｅでは給水条件の違いにより影響を受けないので、運転所要時間は同じになっている。
なお、区間Ｃは運転開始から加熱洗浄を開始するまでの区間であり、初期排水や給水が行われる。区間Ｄは加熱洗浄が終わってから加熱すすぎを開始するまでの区間であり、洗浄水の排水、所定回数の給水・すすぎ・排水、及び加熱すすぎのための給水が行われる。また、区間Ｅは加熱すすぎが終わってから乾燥行程を終了するまでの区間であり、すすぎ水の排水と乾燥が行われる。
【００２６】
また、上記給水条件（給水温度）と運転所要時間との関係に基づいて、給水温度差に対応する運転所要時間の増減を算出することができる。例えば、給水温度が１℃異なれば、運転所要時間が約１分間延長又は短縮される。
このようにして求めた給水条件と運転所要時間との関係、及び給水温度差と運転所要時間の増減との関係は、食器洗い機の制御手段を構成するマイクロコンピュータのメモリーにテーブルとして記憶させることができる。
【００２７】
〔食器洗い機の運転〕
以上のような構成を有する食器洗い機において、使用者が運転完了時刻を予約した場合には、予約した時刻に選択した運転コースの運転が完了するように、食器洗い機の運転を開始させることができる。これによって、使用者は、希望する時刻に食器洗い機の運転を完了させて、良好な乾燥状態の温かい食器を使用することができる。
一方、運転完了時刻を予約しない場合は、従来の食器洗い機と同様に、使用者がスタート／一時停止スイッチ２４をオンしたとき選択した運転コースの運転が開始され、所定時間後にその運転が完了する。
【００２８】
次に、運転完了時刻Ｔeを予約する場合の運転と、予約しない場合の運転について説明する。
〈運転完了時刻を予約する場合の運転〉
最初に、運転完了時刻Ｔeを予約する場合の運転について、特に、図２(ａ),(ｂ)、図４−１及び図４−２を参照しながら説明する。
先ず、使用者が電源スイッチ２３をオンすると共に、食器カゴ１２に食器類を収納する等の準備をした後、希望する運転コースをコース選択スイッチ２８により選択して（ステップ１）、さらに、運転完了時刻設定手段３１により運転完了時刻Ｔeを設定すると（ステップ２）、この運転完了時刻Ｔeは制御手段３３のメモリーに記憶され、且つ表示部２５に表示され予約時刻表示ＬＥＤ２６が点灯される（ステップ３）。
【００２９】
次に、給水条件選択手段３０の給水スイッチ３０Ａ又は給湯スイッチ３０Ｂにより、季節の春／秋、夏、或いは冬、又は給湯温度の４０℃、５０℃、或いは６０℃のうちの１つが選択されると、この選択された季節の給水設定温度又は給湯設定温度に対応する運転所要時間が決定され、制御手段３３のメモリーに記憶される（ステップ６〜１１）。このときの運転所要時間の決定は、上記給水条件と運転所要時間の関係を表すテーブルにより行われる。
このようにして運転所要時間決まると、上記運転完了時刻Ｔeとの関係から運転スタート時刻Ｔsが算出され、制御手段３３のメモリーに記憶される（ステップ１２）。続いて、スタート／一時停止スイッチ２４がオンされると（ステップ１３）、現在時刻Ｔが運転スタート時刻Ｔsの１時間前になるまで待機する（ステップ１４）。
【００３０】
その後、現在時間Ｔが運転スタート時刻Ｔsの１時間前になれば（ステップ１４）、給湯スイッチ３０Ｂにより給湯が選択されていたか否かを判断し（ステップ１５）、給湯が選択されていれば、給湯器から所定量を給水して排水する「初期排水」（ステップ１６、１７）を実行した後、ステップ１８へ進む。この「初期排水」は、食器洗い機が給湯器から離れて配置されている場合に、洗浄槽への給湯開始直後に設定温度で給湯を行うことができないため、所定量の水を捨てて給湯ができる状況にする動作であって、食器洗い機の給水弁６を開いて給水し、水位検知器８で所定水位になるのを検出して給水弁６を閉じた後、洗浄・排水ポンプ４を排水運転することにより実行することができる。
上記ステップ１５において給湯が選択されていなければ、即ち、給水スイッチ３０Ａにより給水（季節）が選択されていれば、直ちにステップ１８へ進む。
【００３１】
このステップ１８では、給水弁６を開いて洗浄槽３内へ給水（給湯）を開始する。このとき、給水温度センサー２２によって給水（給湯）温度を測定し、この測定温度と上記給水（給湯）設定温度との差を算出すると共に、この温度差に基づいて上記運転スタート時刻Ｔsを補正する。この補正においては、上記給水温度差と運転所要時間の増減との関係を表すテーブルを利用することができる。また、洗浄槽３内へ給水（給湯）される水（湯）の温度は、洗浄槽温度センサー１５により測定することも可能である。この場合は、上記給水温度センサー２２を省略することができる。
【００３２】
上記洗浄槽３内への給水（給湯）によって該洗浄槽３内の水位が上がり、水位検出器８がオンすれば（ステップ１９）、給水弁６を閉じて給水（給湯）を停止する（ステップ２０）。次に、洗浄・排水ポンプ４の洗浄運転を開始して５分間継続した後、この洗浄運転を一旦停止する「予備洗浄」を実行する（ステップ２１〜２３）。この「予備洗浄」は、食器類に付着した汚れのこびり付きを除去するために行われる。次に、食器洗い機は、現在時刻Ｔが補正された運転スタート時刻Ｔsになるまで待機し（ステップ２４）、運転スタート時刻Ｔsになれば予め選択されていた運転コースの運転を開始する（ステップ２５）。このとき、表示部２５の時間表示は、予約した運転完了時刻Ｔｅから運転完了までの残り時間の表示に切り替わり、残り時間表示ＬＥＤ２７を点灯する。
なお、この場合の運転は、既に洗浄槽３内への給水（給湯）が終了しているので、その次の動作から実行される。また、現在時刻Ｔが運転スタート時刻Ｔsになるまでの待機中に、洗浄槽３内へ供給された洗浄水の温度が極端に下がる場合（例えば、冬季に湯を使用する場合）は、ヒーター７をオン／オフ制御することにより洗浄水の温度を保持することも可能である。
【００３３】
〈運転完了時刻を予約しない場合の運転〉
次に、運転完了時刻を予約しない場合の運転について、特に、図２(ａ)及び図４−１を参照しながら説明する。
使用者が電源スイッチ２３をオンして、食器カゴ１２内に食器類を収納する等の準備をすると共に、希望する運転コースをコース選択スイッチ２８により選択した後（ステップ１）、運転完了時刻Ｔeを設定しないで（ステップ２）、スタート／一時停止スイッチ２４をオンする（ステップ４）。そうすると、食器洗い機の運転が直ちに開始され（ステップ５）、従来の食器洗い機と同様に選択された運転コースに従って、洗浄、すすぎ、及び乾燥の各行程が順次実行されて、所定時間内に運転が終了される。
【実施例２】
【００３４】
続いて、実施例２の食器洗い機について、図１、図２(ａ),(ｃ)、図３、図５−１、及び図５−２を参照しながら説明する。図２(ｃ)は操作パネルの給水条件選択手段の説明図、図５−１及び図５−２は食器洗い機において、電源スイッチをオンしてから、選択した運転コースの運転を開始までのフローチャートである。
この実施例２は、上記実施例１の食器洗い機において、その運転に関する点と給水条件選択手段３０の構成が異なるだけで、その他の点については実施例１と同じであるから、ここでは「食器洗い機の運転」と「給水条件選択手段」についてのみ説明することとし、その他の点については説明を省略する。
【００３５】
〔給水条件選択手段について〕
実施例２における給水条件選択手段３０’は、図２(ｃ)に示されているように、水道水をそのまま使用する給水接続を選択する給水スイッチ３０Ａ’と、給湯器の湯を使用する給湯接続を選択する給湯スイッチ３０Ｂ’を備えており、これらのうちの一方が選択されると、それに対応する給水条件表示ＬＥＤ３０ａ’又は３０ｂ’が点灯するように成っている。
したがって、実施例２における給水条件選択手段３０’では、上記実施例１のように、給水接続において季節（春／秋、夏、冬）を選択することや、給湯接続において給湯温度（４０℃、５０℃、６０℃）を選択する必要はない。
【００３６】
〔食器洗い機の運転〕
この実施例２においても、上記実施例１と同様に、使用者が運転完了時刻を予約した場合には、予約した時刻に選択した運転コースの運転が完了するように、食器洗い機の運転を開始させることができる。また、運転完了時刻を予約しない場合は、従来の食器洗い機と同様に、使用者がスタート／一時停止スイッチ２４をオンしたとき食器洗い機の運転が開始して、所定時間後に選択した運転コースの運転が完了する。
【００３７】
次に、運転完了時刻Ｔeを予約する場合の運転と、予約しない場合の運転について説明する。
〈運転完了時刻を予約する場合の運転〉
最初に、運転完了時刻Ｔeを予約する場合の運転について、特に、図２(ａ),(ｃ)、図５−１及び図５−２を参照しながら説明する。
先ず、使用者が電源スイッチ２３をオンすると共に、食器カゴ１２に食器類を収納する等の準備をした後、希望する運転コースをコース選択スイッチ２８により選択して（ステップ３１）、さらに、運転完了時刻設定手段３１により運転完了時刻Ｔeを設定すると（ステップ３２）、この運転完了時刻Ｔeは制御手段３３のメモリーに記憶され、且つ表示部２５に表示され予約時刻表示ＬＥＤ２６が点灯される（ステップ３３）。
【００３８】
次に、給水条件選択手段３０’の給水スイッチ３０Ａ’又は給湯スイッチ３０Ｂ’により、給水又は給湯のどちらか一方を選択すれば、最低給水設定温度（上記実施例１の冬(５℃)に相当）又は最低給湯設定温度（上記実施例１の４０℃に相当）に対応する運転所要時間が決定され、制御手段３３のメモリーに記憶される（ステップ３６〜３９）。このときの運転所要時間の決定は、上記給水条件と運転所要時間の関係を表すテーブルにより行われる。
このようにして運転所要時間が決まると、上記運転完了時刻Ｔeとの関係から運転スタート時刻Ｔsが算出され、制御手段３３のメモリーに記憶される（ステップ４０）。続いて、スタート／一時停止スイッチ２４がオンされると（ステップ４１）、現在時刻Ｔが運転スタート時刻Ｔsの１時間前になるまで待機する（ステップ４２）。
【００３９】
その後、現在時間Ｔが運転スタート時刻Ｔsの１時間前になれば（ステップ４２）、給湯スイッチ３０Ｂ’により給湯が選択されていたか否かを判断し（ステップ４３）、給湯が選択されていれば、給湯器から所定量を給水して排水する「初期排水」（ステップ４４、４５）を実行した後、ステップ４６へ進む。この「初期排水」を行うことにより、食器洗い機が給湯器から離れて配置されていても、洗浄槽３内へ設定温度の給湯を行うことができる。
上記ステップ４３において給湯が選択されていなければ、即ち、給水スイッチ３０Ａ’により給水が選択されていれば、直ちにステップ４６へ進む。
このステップ４６では、給水弁６を開いて洗浄槽３内への給水（給湯）を開始する。このとき、給水温度センサー２２によって給水（給湯）温度を測定し、この測定温度と上記最低給水（給湯）設定温度との差を算出すると共に、この温度差に基づいて上記運転スタート時刻Ｔsを補正する。この補正においては、上記給水温度差と運転所要時間の増減との関係を表すテーブルを利用することができる。
【００４０】
上記洗浄槽３内への給水（給湯）によって該洗浄槽３内の水位が上がり、水位検出器８がオンすれば（ステップ４７）、給水弁６を閉じて給水（給湯）を停止する（ステップ４８）。次に、洗浄・排水ポンプ４の洗浄運転を開始して５分間継続した後、この洗浄運転を一旦停止する「予備洗浄」を実行する（ステップ４９〜５１）。この「予備洗浄」は、食器類に付着した汚れのこびり付きを除去するために行われる。その後、食器洗い機は、現在時刻Ｔが補正された運転スタート時刻Ｔsになるまで待機し（ステップ５２）、運転スタート時刻Ｔsになれば予め選択されていた運転コースの運転を開始する（ステップ５３）。
このとき、表示部２５の表示が残り時間の表示に切り替わること、食器洗い機の運転が洗浄槽３内への給水（給湯）終了の次の動作から実行されること、また、現在時刻Ｔが運転スタート時刻Ｔsになるまでの待機中に、ヒーター７のオン／オフ制御により洗浄水の温度を保持し得ることは、上記実施例１と同様である。
【００４１】
（運転完了時刻を予約する場合の運転の変形例）
上記実施例２においては、図５−１及び図５−２に示されているように、ステップ４０で運転スタート時刻Ｔsを算出し、ステップ４２で現在時刻Ｔが運転スタート時刻Ｔsの１時間前になれば、給水弁６を開き給水又は給湯を開始し、その給水又は給湯温度を測定して運転スタート時刻Ｔsを補正することにより、食器洗い機の運転スタート時刻を設定しているが（ステップ４６）、しかし、このような運転スタート時刻の設定方法の他に、次に説明するような方法によって設定することも可能である。
即ち、図５−１におけるステップ４０では、運転スタート時刻Ｔsを算出せず、ステップ４２において、現在時刻Ｔが運転完了時刻ＴeのＴo時間（Ｔo時間＝最低給水（給湯）設定温度に基づく最長運転所要時間＋１時間）前になれば、図５−２におけるステップ４６において、給水弁６を開き給水又は給湯を開始し、その給水又は給湯温度を測定することにより運転所要時間を決定し、さらに運転完了時刻Ｔeとの関係から運転スタート時刻Ｔsを算出することができる。
【００４２】
〈運転完了時刻を予約しない場合の運転〉
次に、運転完了時刻を予約しない場合の運転について、特に、図２(ａ),(ｃ)及び図５−１を参照しながら説明する。
使用者が電源スイッチ２３をオンして、食器カゴ１２内に食器類を収納する等の準備をすると共に、希望する運転コースをコース選択スイッチ２８により選択した後（ステップ３１）、運転完了時刻Ｔeを設定しないで（ステップ３２）、スタート／一時停止スイッチ２４をオンする（ステップ３４）。そうすると、食器洗い機の運転が直ちに開始され（ステップ３５）、従来の食器洗い機と同様に選択された運転コースに従って、洗浄、すすぎ、及び乾燥の各行程が順次実行されて、所定時間内に運転が終了する。
【実施例３】
【００４３】
実施例３の食器洗い機について、図１、図２(ａ)、図３、図６−１、及び図６−２を参照しながら説明する。図６−１及び図６−２は食器洗い機において、電源スイッチをオンしてから、選択した運転コースの運転を開始までのフローチャートである。
この実施例３は、上記実施例１の食器洗い機において、その運転に関する点と給水条件選択手段３０に関する点が異なるだけで、その他の点については実施例１と同じであるから、ここでは「食器洗い機の運転」と「給水条件選択手段」についてのみ説明することとし、その他の点については説明を省略する。
【００４４】
〔給水条件選択手段について〕
この実施例３では、初期の段階での運転完了時刻を予約した後において、給水（給湯）温度を測定することにより、水道水を使用する給水接続と給湯器の湯を使用する給湯接続のうち、どちらが選択されているかを検知しているので、給水条件選択手段３０,３０’を設ける必要がない。その結果、使用者が給水条件を選択する手順を省略することができる。
【００４５】
〔食器洗い機の運転〕
この実施例３においても、上記実施例１や実施例２と同様に、使用者が運転完了時刻を予約した場合には、予約した時刻に選択した運転コースの運転が完了するように、食器洗い機の運転を開始させることができる。また、運転完了時刻を予約しない場合は、従来の食器洗い機と同様に、使用者がスタート／一時停止スイッチ２４をオンしたとき食器洗い機の運転が開始され、所定時間後に選択した運転コースの運転が完了する。
【００４６】
次に、運転完了時刻Ｔeを予約する場合の運転と、予約しない場合の運転について説明する。
〈運転完了時刻を予約する場合の運転〉
最初に、運転完了時刻Ｔeを予約する場合の運転について、特に、図２(ａ)、図６−１及び図６−２を参照しながら説明する。
先ず、使用者が電源スイッチ２３をオンすると共に、食器カゴ１２に食器類を収納する等の準備をした後、希望する運転コースをコース選択スイッチ２８により選択して（ステップ６１）、さらに、運転完了時刻設定手段３１により運転完了時刻Ｔeを設定すると（ステップ６２）、この運転完了時刻Ｔeは制御手段３３のメモリーに記憶され、且つ表示部２５に表示され予約時刻表示ＬＥＤ２６が点灯される（ステップ６３）。
【００４７】
次に、スタート／一時停止スイッチ２４がオンされると（ステップ６６）、給水弁６を開いて所定量を給水してそれを排水する「初期排水」が実行される（ステップ６７、６８）。この「初期排水」により、給湯の場合には食器洗い機が給湯器から離れて配置されている場合でも、直ちに設定温度の給湯を行うことができる。
その後、再び給水弁６を開き洗浄槽３内へ給水（給湯）し（ステップ６９）、給水温度センサー２２によって給水（給湯）温度を測定して制御手段３３のメモリーに記憶する（ステップ７０）と共に、測定した給水（給湯）温度に基づいて、運転所要時間が決定され、且つ給湯（給湯接続）であるか否かについても検知され制御手段３３のメモリーに記憶される（ステップ７１）。このときの運転所要時間の決定は、上記給水条件（給水温度）と運転所要時間の関係を表すテーブルにより行われる。
このようにして運転所要時間が決まると、上記運転完了時刻Ｔeとの関係から運転スタート時刻Ｔsが算出され、制御手段３３のメモリーに記憶される（ステップ７２）。
【００４８】
上記洗浄槽３内への給水（給湯）によって該洗浄槽３内の水位が上がり、水位検出器８がオンすると（ステップ７３）、給水弁６を閉じて給水（給湯）を停止した後（ステップ７４）、洗浄・排水ポンプ４を排水運転して洗浄槽３内に溜まった水（湯）を排水する（ステップ７５）。排水が終了すると、現在時刻Ｔが運転スタート時刻Ｔsの１時間前になるまで待機する（ステップ７６）。
なお、上記「初期排水」をした後の洗浄槽３内への給水（給湯）は、洗浄槽３の水位が所定レベルになるまで行っているが、この場合は、洗浄槽３内への給水（給湯）温度を測定することができれば良いから、所定の短時間だけ給水することも可能である。
【００４９】
その後、現在時間Ｔが運転スタート時刻Ｔsの１時間前になれば（ステップ７６）、給湯（給湯接続）になっているか否かを判断し（ステップ７７）、給湯が選択されていれば、給湯器から所定量を給水してそれを排水する「初期排水」（ステップ７８、７９）を実行した後、ステップ８０へ進む。この「初期排水」を行うことにより、食器洗い機が給湯器から離れて配置されていても、洗浄槽３内へ設定温度の給湯を行うことができる。
上記ステップ７７において給湯が選択されていなければ、直ちにステップ８０へ進む。このステップ８０では、給水弁６を開いて洗浄槽３内への給水（給湯）を開始する。このとき、給水温度センサー２２によって給水（給湯）温度を測定し、前回の測定温度（ステップ７０での測定温度）と今回の測定温度との差を算出すると共に、この温度差に基づいて上記運転スタート時刻Ｔsを補正する。この補正においては、上記給水温度差と運転所要時間の増減との関係を表すテーブルを利用することができる。
【００５０】
上記洗浄槽３内への給水（給湯）によって該洗浄槽３内の水位が上がり、水位検出器８がオンすれば（ステップ８１）、給水弁６を閉じて給水（給湯）を停止する（ステップ８２）。次に、洗浄・排水ポンプ４の洗浄運転を開始して５分間継続した後、この洗浄運転を一旦停止する「予備洗浄」を実行する（ステップ８３〜８５）。この「予備洗浄」は、食器類に付着した汚れのこびり付きを除去するために行われる。その後、食器洗い機は、現在時刻Ｔが補正された運転スタート時刻Ｔsになるまで待機し（ステップ８６）、運転スタート時刻Ｔsになれば予め選択されていた運転コースの運転を開始する（ステップ８７）。
このとき、表示部２５の表示が残り時間表示に切り替わること、食器洗い機の運転が洗浄槽３内への給水（給湯）終了の次の動作から実行されること、また、現在時刻Ｔが運転スタート時刻Ｔsになるまでの待機中に、ヒーター７のオン／オフ制御により洗浄水の温度を保持し得ることは、上記実施例１と同様である。
【００５１】
〈運転完了時刻を予約しない場合の運転〉
次に、運転完了時刻を予約しない場合の運転について、特に、図２(ａ)及び図６−１を参照しながら説明する。
使用者が電源スイッチ２３をオンして、食器カゴ１２内に食器類を収納する等の準備をすると共に、希望する運転コースをコース選択スイッチ２８により選択した後（ステップ６１）、運転完了時刻Ｔeを設定しないで（ステップ６２）、スタート／一時停止スイッチ２４をオンする（ステップ６４）。そうすると、食器洗い機の運転が直ちに開始され（ステップ６５）、従来の食器洗い機と同様に選択された運転コースに従って、洗浄、すすぎ、及び乾燥の各行程が順次実行されて、所定時間内に運転が終了する。
【実施例４】
【００５２】
実施例４の食器洗い機について、図１、図２(ａ),(ｃ)、図３、図６−２、及び図７を参照しながら説明する。図６−２及び図７は食器洗い機において、電源スイッチをオンしてから、選択した運転コースの運転を開始までのフローチャートである。
この実施例４は、上記実施例１の食器洗い機において、その運転に関する点と給水条件選択手段３０に関する点が異なるだけで、その他の点については実施例１と同じであるから、ここでは「食器洗い機の運転」と「給水条件選択手段」についてのみ説明することとし、その他の点については説明を省略する。
【００５３】
〔給水条件選択手段について〕
実施例４における給水条件選択手段３０’は、図２(ｃ)に示されているように、水道水をそのまま使用する給水接続を選択する給水スイッチ３０Ａ’と、給湯器の湯を使用する給湯接続を選択する給湯スイッチ３０Ｂ’を備えており、これらのうちの一方が選択されると、それに対応する給水条件表示ＬＥＤ３０ａ’又は３０ｂ’が点灯するように成っている。
【００５４】
〔食器洗い機の運転〕
この実施例４においても、上記実施例１〜実施例３と同様に、使用者が運転完了時刻を予約した場合には、予約した時刻に選択した運転コースの運転が完了するように、食器洗い機の運転を開始させることができる。また、運転完了時刻を予約しない場合は、従来の食器洗い機と同様に、使用者がスタート／一時停止スイッチ２４をオンしたとき食器洗い機の運転が開始され、所定時間後に選択した運転コースの運転が完了する。
【００５５】
次に、運転完了時刻Ｔeを予約する場合の運転と、予約しない場合の運転について説明する。
〈運転完了時刻を予約する場合の運転〉
最初に、運転完了時刻Ｔeを予約する場合の運転について、特に、図２(ａ),(ｃ)、図７及び図６−２を参照しながら説明する。
先ず、使用者が電源スイッチ２３をオンすると共に、食器カゴ１２に食器類を収納する等の準備をした後、希望する運転コースをコース選択スイッチ２８により選択して（ステップ９１）、さらに、運転完了時刻設定手段３１により運転完了時刻Ｔeを設定すると（ステップ９２）、この運転完了時刻Ｔeは制御手段３３のメモリーに記憶され、且つ表示部２５に表示され予約時刻表示ＬＥＤ２６が点灯される（ステップ９３）。
【００５６】
次に、給水条件選択手段３０’の給水スイッチ３０Ａ’又は給湯スイッチ３０Ｂ’により、給水又は給湯のどちらか一方が選択されるが（ステップ９６、１００）、給湯が選択され（ステップ９６）、さらに、スタート／一時停止スイッチ２４がオンされると（ステップ９７）、給水弁６を開いて所定量を給水してそれを排水する「初期排水」が実行され（ステップ９８、９９）、ステップ１０２へ進む。この「初期排水」による作用は、上記各実施例で説明したとおりである。
一方、上記ステップ９６、１００で給水が選択され（ステップ１００）、さらに、スタート／一時停止スイッチ２４がオンされると（ステップ１０１）、上記「初期排水」を実行することなく直ちにステップ１０２へ進む。
【００５７】
上記ステップ１０２では、再び給水弁６を開き洗浄槽３内へ給水（給湯）し、給水温度センサー２２によって給水（給湯）温度を測定して制御手段３３のメモリーに記憶すると共に（ステップ１０３）、測定した給水（給湯）温度に基づいて、運転所要時間が決定されて制御手段３３のメモリーに記憶される（ステップ１０４）。このときの運転所要時間の決定は、上記給水条件（給水温度）と運転所要時間の関係を表すテーブルにより行われる。
このようにして運転所要時間が決まると、上記運転完了時刻Ｔeとの関係から運転スタート時刻Ｔsが算出され、制御手段３３のメモリーに記憶される（ステップ１０５）。
【００５８】
上記洗浄槽３内への給水（給湯）によって該洗浄槽３内の水位が上昇し、水位検出器８がオンすると（ステップ１０６）、給水弁６を閉じて給水（給湯）を停止した後（ステップ１０７）、洗浄・排水ポンプ４を排水運転して洗浄槽３内に溜まった水（湯）を排水する（ステップ１０８）。排水が終了すると、現在時刻Ｔが運転スタート時刻Ｔsの１時間前になるまで待機する（ステップ１０９）。
なお、上記「初期排水」後の洗浄槽３内への給水（給湯）は、所定の短時間の給水により行っても良いことは、上記実施例３と同様である。
その後、現在時間Ｔが運転スタート時刻Ｔsの１時間前になれば（ステップ１０９）、給水条件選択手段３０’の給湯スイッチ３０Ｂ’により給湯が選択されていたか否かを判断する（図６−２のステップ７７）。それ以降の運転動作は、図６−２に示す実施例３の場合と同じである。
【００５９】
〈運転完了時刻を予約しない場合の運転〉
次に、運転完了時刻を予約しない場合の運転について、特に、図２(ａ),(ｃ)及び図７を参照しながら説明する。
使用者が電源スイッチ２３をオンして、食器カゴ１２内に食器類を収納する等の準備をすると共に、希望する運転コースをコース選択スイッチ２８により選択した後（ステップ９１）、運転完了時刻Ｔeを設定しないで（ステップ９２）、スタート／一時停止スイッチ２４をオンする（ステップ９４）。そうすると、食器洗い機の運転が直ちに開始され（ステップ９５）、従来の食器洗い機と同様に選択された運転コースに従って、洗浄、すすぎ、及び乾燥の各行程が順次実行されて、所定時間内に運転が終了する。
【図面の簡単な説明】
【００６０】
【図１】は、本発明の実施例１による食器洗い機の説明図であり、(ａ)は各機器の配置を示す模式的な縦断面図、(ｂ)は制御装置のブロック図である。
【図２】は、本発明の各実施例による食器洗い機の操作パネルの説明図であり、(ａ)は実施例１〜実施例４の上面及び前面操作パネルの拡大斜視図、(ｂ)は実施例１の前面操作パネルに設けられた給水条件選択手段の拡大図、(ｃ)は実施例２又は実施例４の同様の給水条件選択手段の拡大図である。
【図３】は、食器洗い機における給水条件（給水温度）と運転所要時間との関係を示す説明図であり、(ａ)はそれぞれの給水条件による運転シーケンス、(ｂ)は(ａ)に関する説明である。
【図４−１】は、本発明の実施例１による食器洗い機において、電源スイッチをオンしてから、選択した運転コースの運転を開始するまでのフローチャートの前半部分である。
【図４−２】は、同じく、本発明の実施例１による食器洗い機において、電源スイッチをオンしてから、選択した運転コースの運転を開始するまでのフローチャートの後半部分である。
【図５−１】は、本発明の実施例２による食器洗い機において、電源スイッチをオンしてから、選択した運転コースの運転を開始までのフローチャートの前半部分である。
【図５−２】は、同じく、本発明の実施例２による食器洗い機において、電源スイッチをオンしてから、選択した運転コースの運転を開始までのフローチャートの後半部分である。
【図６−１】は、本発明の実施例３による食器洗い機において、電源スイッチをオンしてから、選択した運転コースの運転を開始までのフローチャートの前半部分である。
【図６−２】は、同じく、本発明の実施例３による食器洗い機において、電源スイッチをオンしてから、選択した運転コースの運転を開始までのフローチャートの後半部分である。
【図７】は、本発明の実施例４による食器洗い機において、電源スイッチをオンしてから、選択した運転コースの運転を開始までのフローチャートの前半部分である。
【図８】は、従来の食器洗い機を説明するブロック図である。
【図９】は、同じく従来の食器洗い機の動作を説明するフローチャートであり、(ａ)は食器洗い機全体の動作を示し、(ｂ)は乾燥行程での動作を示している。
【符号の説明】
【００６１】
１…（食器洗い機）本体                  ２…（洗浄槽前面側の）扉
３…洗浄槽                              ４…洗浄・排水ポンプ
５…回転ノズル                          ６…給水弁
７…ヒーター                            ８…水位検知器
１０…乾燥ファン                        １５…洗浄槽温度センサー
１６…排水管（排水ホース）              １９…給水管（給水ホース）
２０…制御部                            ２１…操作パネル
２２…給水温度センサー                  ２３…電源スイッチ
２４…スタート／一時停止スイッチ        ２５…表示部
２６…予約時刻表示ＬＥＤ                ２７…残り時間表示ＬＥＤ
２８…コース選択スイッチ                ３０,３０’…給水条件選択手段
３０Ａ,３０Ａ’…給水スイッチ           ３０Ｂ,３０Ｂ’…給湯スイッチ
３０ａ〜３０ｆ…給水条件表示ＬＥＤ      ３１…運転完了時刻設定手段
３３…制御手段                          ３５…負荷駆動回路
【図１】
2008119052.tif 000003
【図２】
2008119052.tif 000004
【図３】
2008119052.tif 000005
【図４−１】
2008119052.tif 000006
【図４−２】
2008119052.tif 000007
【図５−１】
2008119052.tif 000008
【図５−２】
2008119052.tif 000009
【図６−１】
2008119052.tif 000010
【図６−２】
2008119052.tif 000011
【図７】
2008119052.tif 000012
【図８】
2008119052.tif 000013
【図９】
2008119052.tif 000014